(57)【要約】【課題】動的加重の入力に対して家具等の支持を確実にすると共に家具や壁面等を痛めないようにすることを可能とする。【解決手段】緩衝パネル７及びフィルム９の各一側面を接着層１１により合わせ接合し、緩衝パネル７及びフィルム９の他側面に接着層１３，１５を備え、地震などにより動的荷重が入力されたときは、緩衝パネルにより動的荷重を緩衝することができ、フィルム９と壁面５との間の接着層１５への入力荷重を軽減し、家具３を確実に支持することができ、家具３を、壁面５から離脱させるときは、接着層１１等を剥がすことで行わせることができ、家具３及び壁面５の傷みを抑制できることを特徴とする。【選択図】  図２
2007111184.tif 000002
【特許請求の範囲】
【請求項１】
緩衝パネル及びフィルムの各一側面を接着剤により合わせ接合し、
緩衝パネル及びフィルムの他側面の一方を固定面に接着剤により固定すると共に同他方を被固定体に接着剤により固定した
ことを特徴とする耐震支持パネル。
【請求項２】
緩衝パネル及びフィルムの各一側面を接着層により合わせ接合し、
緩衝パネル及びフィルムの他側面に接着層を備えた
ことを特徴とする耐震支持パネル。
【請求項３】
請求項１又は２記載の耐震支持パネルであって、
前記緩衝パネルは、弾性を有する海綿体である
ことを特徴とする耐震支持パネル。
【請求項４】
請求項２又は３記載の耐震支持パネルであって、
前記フィルムの固定面側接着層の接着力を、このフイルムの被固定側接着層の接着力と比較して大きくした
ことを特徴とする耐震支持パネル。
【請求項５】
請求項４記載の耐震支持パネルであって、
前記固定面側接着層の単位面積当たりの接着力は、前記被固定側接着層の単位面積当たりの接着力よりも小さく且つ固定面側接着層の接着面積を被固定側接着層の接着面積よりも大きく設定した
ことを特徴とする耐震支持パネル。
【発明の詳細な説明】
【技術分野】
【０００１】
本発明は、家具などの耐震支持パネルに関する。
【背景技術】
【０００２】
従来、家具などの耐震支持装置として、例えば、コイルス・プリングを用いたものがある。この耐震支持装置は、固定片とＬ型の取付片と該固定片及び取付片間のコイル・スプリングからなり、固定片を壁に固定し、取付片を家具の天板に取付けたものである。
【０００３】
地震時に建物に入る水平加速度に基づいて家具に入力される加速度により取付片に動的荷重が働き、この動的荷重をコイル・スプリングが緩衝する。
【０００４】
従って、固定片が釘などにより壁に固定される場合、地震時の動的荷重が釘に直接入力されるのを規制し、釘の抜けを抑制し、家具の転倒を押さえることができる。
【０００５】
しかし、上記のような構造では、固定片及び取付片を壁及び家具に釘などを用いて取り付けるため、壁及び家具を痛めるという問題があった。
【０００６】
【特許文献１】特開平１１−７５９７５号公報
【発明の開示】
【発明が解決しようとする課題】
【０００７】
解決しようとする問題点は、釘などを用いて取り付けるため、壁及び家具を痛めるという点である。
【課題を解決するための手段】
【０００８】
本発明は、家具等を痛めないようにするため、緩衝パネル及びフィルムの各一側面を接着剤により合わせ接合し、緩衝パネル及びフィルムの他側面の一方を固定面に接着剤により固定すると共に同他方を被固定体に接着剤により固定したことを最も主要な特徴とする。
【発明の効果】
【０００９】
本発明の耐震支持パネルは、緩衝パネル及びフィルムの各一側面を接着剤により合わせ接合し、緩衝パネル及びフィルムの他側面の一方を固定面に接着剤により固定すると共に同他方を被固定体に接着剤により固定したため、地震などにより動的荷重が入力されたときは、緩衝パネルにより動的荷重を緩衝することができ、フィルムと固定面との間の接着部への入力荷重を軽減し、被固定体を確実に支持することができる。
【００１０】
被固定体が、固定壁から離脱するときは、緩衝パネル及びフィルム間又はフィルム及び固定壁側の接着剤間でまず離脱するから、被固定体及び固定壁の傷みを抑制できる。
【００１１】
緩衝パネル及びフィルムは、被固定体、固定壁に対し接着剤による接着を剥がすことで取り外すことができ、被固定体及び固定壁の傷みを抑制できる。  
【発明を実施するための最良の形態】
【００１２】
家具等を痛めないようにするという目的を、耐震支持パネルにより実現した。
【実施例１】
【００１３】
［耐震支持パネルの構造］
図１は、本発明の実施例に係る耐震支持パネルを家具の支持に適用した断面図である。
【００１４】
図１のように、耐震支持パネル１は、被固定体である箪笥、ロッカーその他の家具３のは上部背面に取り付けられると共に、固定面である壁面５に取り付けられている。なお、耐震支持パネル１の取付位置は、任意である。
【００１５】
前記耐震支持パネル１の具体的構成は、図２，図３のようになっている。図２は、耐震支持パネルを家具の支持に適用した拡大断面図、図３は、耐震支持パネルの分解斜視図である。
【００１６】
図２，図３のように、耐震支持パネル１は、緩衝パネル７及びフィルム９の各一側面を接着層１１により合わせ接合し、緩衝パネル７及びフィルム９の他側面に接着層１３，１５を備えたもので、予めアッセンブリされている。接着層１３，１５の表面には、図示しないが、蝋紙が貼付され、この蝋紙を剥がして使用する。
【００１７】
前記緩衝パネル７は、弾性を有する海綿体で構成されている。従って、耐震支持パネル１は、全体として弾性と可撓性とを備えている。
【００１８】
前記緩衝パネル７のばね定数は、このばね定数と家具３とで構成される振動系の固有振動数が地震時に家屋に入力される地震波振動周波数よりも高くなるように設定されている。従って、地震時に家具３が共振して大きく揺れることを防止することができる。
【００１９】
［耐震支持パネルの取付、取り外し］
前記耐震支持パネル１は、接着層１３，１５の表面の蝋紙を剥がすことで取付可能となる。
【００２０】
前記蝋紙を剥がすことで露出した接着層１３，１５を図１，図２のように家具５及び壁面５に接着させる。
【００２１】
耐震支持パネル１の取り外しは、接着層１３，１５を家具３、壁面５から剥がすことで行うことができる。この場合、接着層１３，１５は、剪断方向には強度が相対的に弱いから、家具３、壁面５に対し耐震支持パネル１を剥がすことで、接着層１３，１５に剪断力を与える。従って、耐震支持パネル１の交換などの際に、家具３、壁面５の傷みを抑制することができる。  
［緩衝作用］
地震などの際に、建物に入る水平加速度を１Ｇと仮定し、家具３の質量が１５０ｋｇであると、家具３から接着層１３を介して緩衝パネル７に１５０ｋｇｆの動的荷重が例えば面直交方向の引張り荷重として入力される。この入力は、接着層１１、フィルム９、接着層１５を介して壁面５に伝達される。
【００２２】
このとき、最初の大きな荷重伝達時等に緩衝パネル７が緩衝機能を奏して伝達加重を緩和し、耐震支持パネル１により家具３を壁面５に確実に支持することができる。特に、接着層１１，１３，１５は、接着力が面直方向に対して強く、家具３の確実な支持を可能とする。
【００２３】
その後の振動時にも、緩衝パネル７が緩衝機能及び減衰機能を奏することで、家具３の動きを早期に押さえることができる。
【００２４】
［実施例１の効果］
本発明実施例の耐震支持パネル１は、緩衝パネル７及びフィルム９の各一側面を接着層１１により合わせ接合し、緩衝パネル７及びフィルム９の他側面に接着層１３，１５を備えたため、地震などにより動的荷重が入力されたときは、緩衝パネル７により動的荷重を緩衝することができ、フィルム９と壁面５との間の接着層１５に入力される動的荷重を軽減し、家具３を確実に支持することができる。
【００２５】
家具３が、壁面５から離脱するときは、緩衝パネル７及びフィルム９間又はフィルム９及び壁面５側の接着層１５間でまず離脱させることができ、家具３及び壁面５の傷みを抑制できる。
【００２６】
緩衝パネル７及びフィルム９は、家具３、壁面５に対し接着層１３，１５による接着を剥がすことで取り外すことができ、家具３及び壁面５の傷みを抑制できる。  緩衝パネル７は、弾性を有する海綿体であるため、緩衝機能を確実に奏することができる。
【実施例２】
【００２７】
図４は、本発明の第２の実施例に係る耐震支持パネルを、家具の支持に適用した例を示す拡大断面図である。
【００２８】
この第２実施例の最大の特徴は、前記フィルム９の固定面５側接着層１５の接着力を、フイルム９の被固定側３の接着層１１の接着力と比較して大きく構成した点である。
【００２９】
地震などにより動的荷重が入力されたとき、緩衝パネル７により動的荷重を緩衝し、フィルム９と壁面５との間の接着層１５に入力される動的荷重を軽減し、家具など被固定体３が転倒するのを確実に阻止して、人命などを救済することができる効果は、前述した第１の実施例と同等であるが、支持限界を超す振動で、家具３が壁面５から離脱するときは、上述したように接着層１５の接着力を、接着層１１の接着力と比較して大きく構成したから、緩衝パネル７とフィルム９の間の接着層１１で、確実に離脱させることができる。従って、固定面である家などの壁面５の傷みを抑制することができる。
【００３０】
上述したように接着層１５の接着力を、接着層１１の接着力と比較して大きく構成する手段の第１の例は、前述した第１の実施例で示した図２において、前記フィルム９の固定面５側接着層１５を構成する接着剤として、その接着力が、フイルム９の被固定側３の接着層１１を構成する接着剤の接着力よりも大きなものを使用すればよい。
【００３１】
第２の例は、図４に示すように、前記フイルム９の面積を緩衝パネル７の面積よりも大きくしてフィルム９の固定面５に対する接着面積を増大する構成とすれば、前記フィルム９の固定面５側接着層１５の接着力を、フイルム９の被固定側３の接着層１１の接着力と比較して大きくすることができる。
【００３２】
フィルム９の面積の増大は、緩衝パネル７の面形状に対して相似的に拡大するもの、上下長さを長くするものなど適宜採用することができる。すなわち、固定面５側接着層１５の単位面積当たりの接着力を、前記被固定側３接着層１１の単位面積当たりの接着力よりも小さく且つ固定面５側接着層１５の接着面積を被固定側３接着層１１の接着面積よりも大きく設定した構成となる。
【００３３】
この第２の例では、接着層１５の接着力をより小さくすることが可能となり、フィルム９側を壁面５から剥がすときに、壁面５の傷みをより抑制することができる。
【００３４】
なお、第２の例の構造は、緩衝パネル７及び家具３間に適用することも可能である。
［その他］
耐震支持パネル１は、家具以外の被固定体の支持にも適用することができる。
【００３５】
耐震支持パネル１の面形状は、正方形形状に限らず、長方形、楕円形、円形など、種種採用することができる。
【００３６】
緩衝パネル７及びフィルム９は、家具３を壁面５に固定する際に、接着剤により相互を結合し、且つ家具３及び壁面５に接着して図１，図２の状態にすることも可能である。
【００３７】
緩衝パネル７及びフィルム９を、接着層１１により予めアッセンブリし、家具３を壁面５に固定する際に、緩衝パネル７及びフィルム９を接着剤により家具３、壁面５に接着して図１，図２の状態にすることも可能である。
緩衝パネル７は、ゴムなどで構成することも可能である。
【００３８】
上述した各実施例で各接着層１１，１３，１５を構成する接着手段として接着剤を用いたが、これは、マジックファースナーなど他の接着手段を用いても良いのは勿論である。
【図面の簡単な説明】
【００３９】
【図１】耐震支持パネルを家具の支持に適用した断面図である（実施例１）。
【図２】耐震支持パネルを家具の支持に適用した拡大断面図である（実施例１）。
【図３】耐震支持パネルの分解斜視図である（実施例１）。
【図４】耐震支持パネルを家具の支持に適用した拡大断面図である（実施例２）。
【符号の説明】
【００４０】
１  耐震支持パネル
３  家具（被固定体）
５  壁面（固定面）
７  緩衝パネル
９  フィルム
１１，１３，１５  接着層
【図１】
2007111184.tif 000003
【図２】
2007111184.tif 000004
【図３】
2007111184.tif 000005
【図４】
2007111184.tif 000006